(57)【特許請求の範囲】
【請求項１】
後端部に設けた外周側に向かって突出するレンズ側バヨネット爪と、後端部が露出するレンズ側接点部と、レンズ側マウント面と、を備えるレンズ鏡筒が、前面に形成した略円形の開口部に対して着脱可能なカメラボディであって、
上記レンズ鏡筒を上記カメラボディに装着したときに上記レンズ側バヨネット爪が直後に位置する、上記開口部の周縁部から内周側に向かって突出するボディ側バヨネット爪と、
該ボディ側バヨネット爪の後面に形成した、上記レンズ鏡筒をカメラボディに装着したときに、上記レンズ側バヨネット爪の直前に位置する対向面と、
該対向面が上記レンズ側バヨネット爪と対向したときに上記レンズ側マウント面が前方から当接する、上記対向面より前方に位置するボディ側マウント面と、
上記対向面が上記レンズ側バヨネット爪と対向したときに、上記対向面より前方でかつ上記ボディ側マウント面より後方に位置する自身の前端部が上記レンズ側接点部の後端部と接触するボディ側接点部と、
を備えることを特徴とするカメラボディ。
【請求項２】
請求項１記載のカメラボディにおいて、
上記レンズ側バヨネット爪及び上記ボディ側バヨネット爪が同心をなす円弧形状であり、
上記カメラボディの内部に、上記ボディ側バヨネット爪から内周側に離間し、かつ該ボディ側バヨネット爪と同心をなす円弧状突部を前向きに突設し、
該円弧状突部の前端面に上記ボディ側接点部を設けたカメラボディ。
【請求項３】
請求項２記載のカメラボディにおいて、
上記ボディ側接点部が上記円弧状突部内に進退可能に保持され、
上記円弧状突部に上記ボディ側接点部を前方に移動付勢する接点付勢手段を設けたカメラボディ。
【請求項４】
請求項２または３記載のカメラボディにおいて、
上記円弧状突部は、上記ボディ側マウント面と直交する方向において前記上記ボディ側バヨネット爪とほぼ同じ位置まで突出しているカメラボディ。
【請求項５】
請求項２から４のいずれか１項記載のカメラボディにおいて、
上記円弧状突部の内周側近接位置に撮像装置の受光領域の一部が位置しているカメラボディ。
【請求項６】
前面に形成した略円形の開口部の周縁部に設けた内周側に向かって突出するボディ側バヨネット爪と、該ボディ側バヨネット爪の後面に形成した対向面と、ボディ側マウント面と、を備えるカメラボディの上記開口部に対して着脱可能なレンズ鏡筒であって、
後端部から外周側に向かって突出し、上記レンズ鏡筒をカメラボディに装着したときに上記ボディ側バヨネット爪の上記対向面の直後に位置するレンズ側バヨネット爪と、
上記レンズ側バヨネット爪が上記対向面と対向したときに上記ボディ側マウント面に対して前方から当接するレンズ側マウント面と、
上記レンズ鏡筒の後面に、上記レンズ側バヨネット爪の後面よりも前方に向けて形成した、上記レンズ側バヨネット爪の内周側に位置する円弧状または環状の凹溝と、
該凹溝内に自身の後端部が位置し、上記対向面が上記レンズ側バヨネット爪と対向したときに、該後端部が上記ボディ側接点部の前端部と接触するレンズ側接点部と、
を備えることを特徴とするレンズ鏡筒。
【請求項７】
前面に形成した開口部の周縁部に設けた内周側に向かって突出するボディ側バヨネット爪、該ボディ側バヨネット爪の後面に形成した対向面、上記対向面より前方に位置するボディ側マウント面、及び、前端部が上記対向面より前方でかつ上記ボディ側マウント面より後方に位置するボディ側接点部、を備えるカメラボディと、
後端部から外周側に向かって突出し、上記カメラボディに装着したときに上記ボディ側バヨネット爪の上記対向面の直後に位置するレンズ側バヨネット爪、上記レンズ側バヨネット爪が上記対向面と対向したときに上記ボディ側マウント面に対して前方から当接するレンズ側マウント面、上記後端部から上記レンズ側バヨネット爪の後面よりも前方に向けて形成した、上記レンズ側バヨネット爪の内周側に位置する円弧状または環状の凹溝、及び、該凹溝内に自身の後端部が位置し、上記対向面が上記レンズ側バヨネット爪と対向したときに、該後端部が上記ボディ側接点部の前端部と接触するレンズ側接点部、を備えるレンズ鏡筒と、
を具備することを特徴とするレンズ交換式カメラ。
【請求項８】
請求項７記載のレンズ交換式カメラおいて、
上記カメラボディの内部に、いずれかの上記円弧状隙間から内周側に離間し、かつ上記ボディ側バヨネット爪と同心をなす円弧状突部を前向きに突設し、
上記ボディ側接点部上記円弧状突部の前端面に設け、
上記レンズ鏡筒を上記カメラボディに装着したときに、上記円弧状突部及びボディ側接点部が上記凹溝内に位置するレンズ交換式カメラ。
【請求項９】
請求項７または８記載のレンズ交換式カメラにおいて、
上記円弧状突部は、上記ボディ側マウント面と直交する方向において前記上記ボディ側バヨネット爪とほぼ同じ位置まで突出しているレンズ交換式カメラ。
【発明の詳細な説明】
【技術分野】
【０００１】
本発明は、カメラボディ、レンズ鏡筒、及び、レンズ交換式カメラに関する。
【背景技術】
【０００２】
カメラボディと、このカメラボディの前面に形成した略円形の開口部に対して着脱可能なレンズ鏡筒と、を具備するレンズ交換式カメラは従来から知られている（例えば、特許文献１、２）。
この種のカメラボディは、開口部の周縁部から内周側に向かって突出する複数（例えば３つ）のボディ側バヨネット爪と、カメラボディ内のバッテリや制御装置等と接続するボディ側接点部と、を備えている。一方、レンズ鏡筒は、外周側に向かって突出する複数（例えば３つ）のレンズ側バヨネット爪と、レンズ鏡筒内に設けたレンズ駆動用モータ等と接続するレンズ側接点部と、を備えている。
【０００３】
ボディ側バヨネット爪とレンズ側爪バヨネット爪を利用してレンズ鏡筒をカメラボディに装着すると、ボディ側接点部とレンズ側接点部が接触して両者が電気的に導通するので、カメラボディ内に設けたバッテリの電力によってレンズ駆動用モータ等が動作可能になる。
【先行技術文献】
【特許文献】
【０００４】
【特許文献１】特開２０１０−４４２０３号公報
【特許文献２】特開２０１０−１１７５７１号公報
【発明の概要】
【発明が解決しようとする課題】
【０００５】
カメラボディとレンズ鏡筒を分離するとボディ側接点部とレンズ側接点部が外部に露出する。露出状態のボディ側接点部やレンズ側接点部にユーザーの手等が接触することによりボディ側接点部やレンズ側接点部の表面に施したメッキに傷が付くと、ボディ側接点部やレンズ側接点部の導通機能が低下してしまう。そのため分離状態においてユーザーの手等がボディ側接点部に接触し難くするために、ボディ側接点部をボディ側マウント面よりも奥(レンズ光軸方向において、より撮像素子側)に配置するなどしている。一方、レンズ側接点部は、上記ボディ側接点部との接続のために、レンズ光軸方向において、レンズ側バヨネット爪の位置よりも突出した位置に設けられる。このため、レンズ側接点部は、ボディ側接点部とは逆に、ユーザーによる接触や、カメラボディへの装着時にカメラボディ側マウント面と衝突して傷つきやすい。
また、近年、ファインダー光学系を省略して薄型化（光軸方向寸法の小型化）を図った、いわゆるミラーレスカメラが登場している。しかしながら、ミラーレスカメラの場合、ボディ側マウント面から撮像素子の撮像面までの距離（フランジバック）が短く設計されているため、ボディ側接点部はマウント面付近に配置せざるを得ず、また撮像装置の受光面の位置もマウント面に近接するため、新たな工夫が望まれている。
【０００６】
本発明は、カメラの光軸方向の小型化を実現しつつ、カメラボディとレンズ鏡筒を分離したときにボディ側接点部とレンズ側接点部を保護することが可能なカメラボディ、レンズ鏡筒、及び、レンズ交換式カメラを提供することを目的とする。
【課題を解決するための手段】
【０００７】
本発明のカメラボディは、後端部に設けた外周側に向かって突出するレンズ側バヨネット爪と、後端部が露出するレンズ側接点部と、レンズ側マウント面と、を備えるレンズ鏡筒が、前面に形成した略円形の開口部に対して着脱可能なカメラボディであって、上記レンズ鏡筒を上記カメラボディに装着したときに上記レンズ側バヨネット爪が直後に位置する、上記開口部の周縁部から内周側に向かって突出するボディ側バヨネット爪と、該ボディ側バヨネット爪の後面に形成した、上記レンズ鏡筒をカメラボディに装着したときに、上記レンズ側バヨネット爪の直前に位置する対向面と、該対向面が上記レンズ側バヨネット爪と対向したときに上記レンズ側マウント面が前方から当接する、上記対向面より前方に位置するボディ側マウント面と、上記対向面が上記レンズ側バヨネット爪と対向したときに、上記対向面より前方でかつ上記ボディ側マウント面より後方に位置する自身の前端部が上記レンズ側接点部の後端部と接触するボディ側接点部と、を備えることを特徴としている。
【０００８】
上記レンズ側バヨネット爪及び上記ボディ側バヨネット爪が同心をなす円弧形状であり、上記カメラボディの内部に、上記ボディ側バヨネット爪から内周側に離間し、かつ該ボディ側バヨネット爪と同心をなす円弧状突部を前向きに突設し、該円弧状突部の前端面に上記ボディ側接点部を設けてもよい。
この場合は、上記ボディ側接点部が上記円弧状突部内に進退可能に保持され、上記円弧状突部に上記ボディ側接点部を前方に移動付勢する接点付勢手段を設けてもよい。
【０００９】
上記円弧状突部の内周側近接位置に撮像装置の受光領域の一部が位置していてもよい。
【００１０】
本発明のレンズ鏡筒は、前面に形成した略円形の開口部の周縁部に設けた内周側に向かって突出するボディ側バヨネット爪と、該ボディ側バヨネット爪の後面に形成した対向面と、ボディ側マウント面と、を備えるカメラボディの上記開口部に対して着脱可能なレンズ鏡筒であって、後端部から外周側に向かって突出し、上記レンズ鏡筒をカメラボディに装着したときに上記ボディ側バヨネット爪の上記対向面の直後に位置するレンズ側バヨネット爪と、上記レンズ側バヨネット爪が上記対向面と対向したときに上記ボディ側マウント面に対して前方から当接するレンズ側マウント面と、上記レンズ鏡筒の後面に、上記レンズ側バヨネット爪の後面よりも前方に向けて形成した、上記レンズ側バヨネット爪の内周側に位置する円弧状または環状の凹溝と、該凹溝内に自身の後端部が位置し、上記対向面が上記レンズ側バヨネット爪と対向したときに、該後端部が上記ボディ側接点部の前端部と接触するレンズ側接点部と、を備えることを特徴としている。
【００１１】
本発明のレンズ交換式カメラは、前面に形成した開口部の周縁部に設けた内周側に向かって突出するボディ側バヨネット爪、該ボディ側バヨネット爪の後面に形成した対向面、上記対向面より前方に位置するボディ側マウント面、及び、前端部が上記対向面より前方でかつ上記ボディ側マウント面より後方に位置するボディ側接点部、を備えるカメラボディと、後端部から外周側に向かって突出し、上記カメラボディに装着したときに上記ボディ側バヨネット爪の上記対向面の直後に位置するレンズ側バヨネット爪、上記レンズ側バヨネット爪が上記対向面と対向したときに上記ボディ側マウント面に対して前方から当接するレンズ側マウント面、上記後端部から上記レンズ側バヨネット爪の後面よりも前方に向けて形成した、上記レンズ側バヨネット爪の内周側に位置する円弧状または環状の凹溝、及び、該凹溝内に自身の後端部が位置し、上記対向面が上記レンズ側バヨネット爪と対向したときに、該後端部が上記ボディ側接点部の前端部と接触するレンズ側接点部、を備えるレンズ鏡筒と、を具備することを特徴としている。
【００１３】
上記カメラボディの内部に、いずれかの上記円弧状隙間から内周側に離間し、かつ上記ボディ側バヨネット爪と同心をなす円弧状突部を前向きに突設し、上記ボディ側接点部上記円弧状突部の前端面に設け、上記レンズ鏡筒を上記カメラボディに装着したときに、上記円弧状突部及びボディ側接点部が上記凹溝内に位置するようにしてもよい。
さらに上記円弧状突部は、上記ボディ側マウント面と直交する方向において前記上記ボディ側バヨネット爪とほぼ同じ位置まで突出していてもよい。
【発明の効果】
【００１４】
本発明のカメラボディは、ボディ側接点部の前端部が、ボディ側バヨネット爪の後面を構成する対向面より前方でかつボディ側マウント面より後方に位置するので、カメラボディとレンズ鏡筒を分離したときにユーザーの手等がボディ側接点部に触れるおそれを小さくすることが可能である。
またレンズ鏡筒は、レンズ側接点部がレンズ鏡筒の凹溝内に位置するので、カメラボディとレンズ鏡筒を分離したときにユーザーの手等がレンズ側接点部に触れるおそれを小さくすることが可能である。
さらに、カメラボディの内部空間のボディ側接点部より後方に位置する部分にはバッテリや制御装置等を収納するためのスペースを形成する必要があるので、仮にボディ側接点部の前端部を上記対向面より後方に位置させた場合には、カメラボディ全体の光軸方向寸法が大きくなってしまう。しかし本発明ではボディ側接点部の前端部を上記対向面より前方に位置させているので、カメラボディ全体の光軸方向寸法を小さくすることが可能である。
またレンズ鏡筒の後面には、カメラボディと接続したときにボディ側接点を受容する凹溝が形成してあるので、カメラボディとレンズ鏡筒を接続したときのカメラ全体の光軸方向寸法を小さくすることが可能である。
【図面の簡単な説明】
【００１５】
【図１】本発明の一実施形態のカメラの前方から見た斜視図である。
【図２】カメラボディの前方から見た斜視図である。
【図３】カメラボディの正面図である。
【図４】鏡筒本体を簡略化して示したレンズ鏡筒の後方から見た斜視図である。
【図５】鏡筒本体を簡略化して示したレンズ鏡筒の背面図である。
【図６】鏡筒本体を仮想線で示した図５のVI−VI矢線の上半部のみを断面視して示すレンズ鏡筒の側面図である。
【図７】鏡筒本体及び外装ケースを簡略化して仮想線で示した図１のVII−VII矢線に沿うカメラの中央縦断側面図である。
【発明を実施するための形態】
【００１６】
以下、添付図面を参照しながら本発明の一実施形態について説明する。なお以下の説明における前後、左右、及び、上下の各方向は、図中に記載した矢線方向を基準としている。
図示するように本実施形態のカメラ１０は、互いに着脱可能なカメラボディ２０とレンズ鏡筒５０を具備している。
【００１７】
カメラボディ２０は中空の外装ケース２１を具備している。外装ケース２１の上面や前面には複数の操作ボタンが設けてあり、背面には液晶ディスプレイが設けてある。外装ケース２１の前面の中央部には円形の開口孔２２が形成してあり、開口孔２２には金属からなる略円環形状のボディ側マウント環２３が嵌合固定してある。ボディ側マウント環２３の前面の内周側部は外周側部に比べて前方に一段突出したボディ側マウント面２４となっている。ボディ側マウント環２３の開口縁部にはボディ側マウント面２４より後方に一段下がった箇所に位置するボディ側バヨネット爪２５、２６、２７が内周側に向けて一体的に突設してある。ボディ側バヨネット爪２５、２６、２７は開口孔２２の中心軸（レンズ鏡筒５０を接続したときの光軸であり、ボディ側マウント面２４と直交する軸）を中心とする円弧形状であり、該中心軸を中心とする周方向に略等角度間隔で設けてある。ボディ側バヨネット爪２６の長さ（周方向長）はボディ側バヨネット爪２７より長く、ボディ側バヨネット爪２５の長さはボディ側バヨネット爪２６よりさらに長い。さらに隣合うボディ側バヨネット爪２５、２６、２７の間にはそれぞれ上記中心軸を中心とする円弧形状をなすボディ側円弧状隙間２８、２９、３０が形成してある。図示するようにボディ側バヨネット爪２５とボディ側バヨネット爪２７の間に形成されたボディ側円弧状隙間２９の長さ（周方向長）は、ボディ側バヨネット爪２５とボディ側バヨネット爪２６の間に形成されたボディ側円弧状隙間３０より長く、ボディ側バヨネット爪２６とボディ側バヨネット爪２７の間に形成されたボディ側円弧状隙間２８の長さはボディ側円弧状隙間２９よりさらに長い。また図３及び図７に示すようにボディ側バヨネット爪２５、２６、２７の後面にはそれぞれ前向きに弾性変形することにより後ろ向きの付勢力を発生する付勢バネＳ１、Ｓ２、Ｓ３（後方付勢手段）がマウント面周方向に１２０度均等角でそれぞれ設けてある。さらにボディ側マウント環２３の開口縁部のボディ側バヨネット爪２５、２６、２７と同じ前後位置には、ボディ側バヨネット爪２６とボディ側バヨネット爪２７の中間位置(すなわち、ボディ側円弧状隙間２８の周方向中間位置)に位置し、かつ長さ（周方向長）がボディ側バヨネット爪２７よりも短い突起３２が一体的に突設してある。突起３２の後面には付勢バネＳ１、Ｓ２、Ｓ３に相当する付勢バネは設けていない。さらに突起３２とボディ側バヨネット爪２６の間の間隔（周方向長）、及び、突起３２とボディ側バヨネット爪２７の間の間隔（周方向長）はいずれも後述するレンズ側バヨネット爪５７より短い。
【００１８】
ボディ側マウント面２４の下端近傍に形成した円形孔には前後方向に延びるロックピン３４が設けてある。ロックピン３４はボディ側マウント面２４から前方に突出するロック位置と、全体が円形孔内に収納されるアンロック位置との間を前後方向にスライド自在であり、円形孔内に設けた付勢手段の前向きの付勢力によってロック位置側に移動付勢されている。さらに外装ケース２１の前面に形成した孔にはロック解除ボタン３５が設けてある。ロック解除ボタン３５は外装ケース２１の前面から前方に突出する非操作位置と、全体が該孔内に収納される操作位置との間を前後方向にスライド自在であり、該孔内に設けた付勢手段の前向きの付勢力によって非操作位置側に移動付勢されている。ロック解除ボタン３５が非操作位置に位置するとき（ロック解除ボタン３５を後方に押さないとき）ロックピン３４はロック位置に位置し、ロック解除ボタン３５が操作位置に位置するとき（ロック解除ボタン３５を後方に押したとき）ロックピン３４は上記付勢手段の付勢力に抗してアンロック位置まで移動する。
【００１９】
外装ケース２１の内部空間には、上記中心軸に対して直交する略円板形状をなす合成樹脂製の中間支持板３７が設けてある。中間支持板３７の表面全体（後述する円弧状突部３９も含む）は黒色であり、かつ表面全体にはシボ加工が施してある。図７に示すように中間支持板３７の周縁部はボディ側マウント環２３の後面の周縁部に固定してあり、中間支持板３７の中央部には矩形形状の中央矩形孔３８が形成してある。
中間支持板３７の前面には、中央矩形孔３８の直上に位置しかつ上記中心軸を中心とする円弧形状をなす円弧状突部３９が前向きに一体的に突設してある。開口孔２２（ボディ側マウント環２３）が小径であるため、円弧状突部３９の右側部分と左側部分は、正面視においてボディ側バヨネット爪２５、２６とそれぞれ開口孔２２の径方向に対向している。また円弧状突部３９の中央部はボディ側円弧状隙間３０と径方向に対向している。円弧状突部３９の前面には複数のピン支持孔が一定間隔で並べて形成してあり、各ピン支持孔には金属製の接点ピン４０、４０ａ、４１、４１ａ（ボディ側接点部）が設けてある。円弧状突部３９の前面は、ボディ側バヨネット爪２６とほぼ同じ位置まで前方に突出している。接点ピン４０、４０ａ、４１、４１ａは円弧状突部３９の前面から大きく前方に突出する突出位置（図２、図３参照）と後方に押し込まれて円弧状突部３９内に完全に埋没する押込位置との間を前後方向にスライド自在であり、各ピン支持孔内に設けた圧縮コイルバネ４２（図７参照。接点付勢手段）の前向きの付勢力によって突出位置側に移動付勢されている。図７に示すように、レンズ鏡筒５０をカメラボディ２０に装着した状態下においては（非装着の状態においても）、接点ピン４０、４０ａ、４１、４１ａの前端部はボディ側マウント面２４より後方でかつボディ側バヨネット爪２５、２６、２７の後面（対向面）より前方に位置する。右側端部に位置する２つの接点ピン４０、４０ａは外装ケース２１内の中間支持板３７より後方に位置する後方空間に設けたバッテリ（不図示）と接続され、各接点ピン４１、４１ａは該後方空間に設けた（ＣＰＵ等を具備する）制御装置（不図示）と接続される。図３に示したように前方から見たときに、右端の接点ピン４０ａと付勢バネＳ１は共に円弧状突部３９の径方向延長線（図３の一点鎖線参照）上に位置しており、左端の接点ピン４１ａと付勢バネＳ２は共に円弧状突部３９の径方向延長線（図３の一点鎖線参照）上に位置している。
また外装ケース２１の後方空間には、中央矩形孔３８の直後に位置し、かつ正面視において円弧状突部３９の直下（内周側近傍）に位置する撮像素子４４が設けてある。
【００２０】
レンズ鏡筒５０は略円筒形状をなす鏡筒本体５１を具備しており、鏡筒本体５１には図示を省略したレンズ群、レンズ群を光軸方向に進退させるレンズ駆動機構、レンズ駆動機構に駆動力を付与するモータ、レンズ鏡筒５０の仕様情報（焦点距離情報など）が記憶されたメモリ等が内蔵してある。
鏡筒本体５１の後端面には金属からなる円環状部材であるレンズ側マウント環５２が固定してある。レンズ側マウント環５２は、鏡筒本体５１の後端面に固定され、その後面がレンズ側マウント面５３ａを構成する固定環状部５３と、固定環状部５３から後方に延びる円筒部５４と、円筒部５４の後端部から外周側に向かって突出するレンズ側バヨネット爪５５、５６、５７と、を一体的に具備している。レンズ側バヨネット爪５５、５６、５７は上記レンズ群の光軸を中心とする円弧形状であり、光軸を中心とする略等角度間隔で円筒部５４に突設してある。図示するようにレンズ側バヨネット爪５６の長さ（周方向長）はレンズ側バヨネット爪５７より長く、レンズ側バヨネット爪５５の長さはレンズ側バヨネット爪５６よりさらに長い。さらにレンズ側バヨネット爪５５の外周縁部には円弧形状の凹部５８が凹設してある。隣合うレンズ側バヨネット爪５５、５６、５７の間にはそれぞれ光軸を中心とする円弧形状をなすレンズ側円弧状隙間５９、６０、６１が形成してある。図示するようにレンズ側バヨネット爪５５とレンズ側バヨネット爪５７の間に形成されたレンズ側円弧状隙間６０の長さ（周方向長）は、レンズ側バヨネット爪５５とレンズ側バヨネット爪５６の間に形成されたレンズ側円弧状隙間５９より長く、レンズ側バヨネット爪５６とレンズ側バヨネット爪５７の間に形成されたレンズ側円弧状隙間６１の長さはレンズ側円弧状隙間６０より長い。
さらに、レンズ側バヨネット爪５５、５６、５７の外周面の後縁部には、面取り処理を施すことによって所定の曲率半径の曲面からなるＲ面５５ａ、５６ａ、５７ａが形成してある。
【００２１】
また、レンズ側バヨネット爪５５、５６、５７、凹部５８の周方向長さおよび形状は、カメラボディ２０側のボディ側円弧状隙間２８、２９、３０、突起３２とそれぞれ対応しており、同様に、カメラボディ２０側のバヨネット爪２５、２６、２７、突起３２の大きさおよび形状は、レンズ側のレンズ側円弧状隙間６１、６０、５９、凹部５８にそれぞれ対応している。従って、レンズ鏡筒５０をカメラボディ２０に装着する際には、レンズ側バヨネット爪５５、５６、５７、凹部５８は、カメラボディ２０側のボディ側円弧状隙間２８、２９、３０、突起３２をそれぞれ通過して、カメラボディ２０側のバヨネット爪２５、２６、２７の裏面よりも後方へ進入可能となっている。
またレンズ側マウント面５３ａにはロック用孔６２が形成してある。
【００２２】
固定環状部５３の後面の内周部には合成樹脂からなる環状板材である絶縁部材６３が固定してある。
さらに絶縁部材６３の後面の内周部には合成樹脂からなる内側円筒部材６６が固定してある。内側円筒部材６６の後端面の中央部には上記レンズ群を後方に露出させるための円形孔６７が形成してある。
図４、図５、及び、図７に示すように、レンズ側マウント環５２の円筒部５４と内側円筒部材６６の間には後方から見たときに円弧形状をなす凹溝６８が形成されている。凹溝６８は、レンズ側バヨネット爪５５、５６、５７の後面（円筒部５４の後端面）よりも前方に向けて凹状に形成されている。凹溝６８の底面を構成する絶縁部材６３の後面には、周方向に等角度間隔で複数（接点ピン４０、４０ａ、４１、４１ａと同数）の金属からなる接点６９（レンズ側接点部）が固定してある。これらの接点６９は上記モータやメモリ等と接続している。
【００２３】
続いてレンズ鏡筒５０をカメラボディ２０に対して装着する要領について説明する。
まず、開口孔２２の中心軸とレンズ鏡筒５０のレンズ光軸を一致させ、かつ、凹部５８の周方向位置を突起３２と一致させ、この状態でレンズ鏡筒５０の後端部を前方からカメラボディ２０のボディ側マウント環２３に接近させて、レンズ側バヨネット爪５５をボディ側円弧状隙間２８を通して外装ケース２１の内部空間に進入させる。そしてレンズ側バヨネット爪５６をボディ側円弧状隙間２９を通して外装ケース２１の内部空間に進入させ、レンズ側バヨネット爪５７をボディ側円弧状隙間３０を通して外装ケース２１の内部空間に進入させる。レンズ側バヨネット爪５５をボディ側円弧状隙間２８に挿入すると凹部５８が突起３２に遊嵌する（凹部５８が突起３２の外側を通過する）ので、レンズ側バヨネット爪５５はボディ側円弧状隙間２８に接触することなく外装ケース２１の内部空間に進入する。このようにしてレンズ側バヨネット爪５５、５６、５７を外装ケース２１の内部空間（ボディ側バヨネット爪２５、２６、２７より後方）に移動させると、レンズ鏡筒５０のレンズ側マウント面５３ａがカメラボディ２０のボディ側マウント面２４に前方から当接し、かつレンズ側マウント面５３ａの一部によってロック位置に位置していたロックピン３４がアンロック位置まで押し込まれる（同時に非操作位置に位置していたロック解除ボタン３５が操作位置に移動する）。この状態でレンズ鏡筒５０全体を前方から見て時計方向に約６０°回転させるとロック用孔６２がロックピン３４の直前に位置し、レンズ側マウント面５３ａによってアンロック位置に保持されていたロックピン３４が上記付勢手段の付勢力によってロック位置に移動復帰して（同時に操作位置に位置していたロック解除ボタン３５が上記付勢手段の付勢力によって非操作位置に移動復帰する）ロック用孔６２に嵌合するので、レンズ鏡筒５０はそれ以上回転できなくなる。また図７に示すように、レンズ鏡筒５０が回転するときに円筒部５４の一部が円弧状突部３９とボディ側マウント面２４の間の凹状の円弧空間４５に位置するので、レンズ鏡筒５０の回転動作は円滑に行われる。さらにレンズ側バヨネット爪５５、５６、５７がそれぞれ付勢バネＳ２、Ｓ３、Ｓ１を前向きに弾性変形させながらボディ側バヨネット爪２６、２７、２５の直後に位置し、レンズ側バヨネット爪５５、５６、５７が付勢バネＳ２、Ｓ３、Ｓ１の後ろ向きの付勢力によって後方に押圧されるので、レンズ側マウント面５３ａとボディ側マウント面２４の当接状態が保持される。従って、このようにしてレンズ鏡筒５０をカメラボディ２０に装着すると、ロック解除ボタン３５を操作しない限りレンズ鏡筒５０がカメラボディ２０から脱落することはない。なお、このとき突起３２はレンズ側バヨネット爪５５、５６、５７とは異なる周方向位置に位置する。
【００２４】
一方、レンズ鏡筒５０をカメラボディ２０に対して装着するときに、凹部５８の周方向位置を突起３２と一致させない場合はレンズ鏡筒５０をカメラボディ２０に対して装着できない。例えば、レンズ側バヨネット爪５７をボディ側円弧状隙間２８と同じ周方向位置に位置させ、レンズ側バヨネット爪５６をボディ側円弧状隙間３０と同じ周方向位置に位置させ、レンズ側バヨネット爪５５をボディ側円弧状隙間２９と同じ周方向位置に位置させた場合は、レンズ側バヨネット爪５７の全長（周方向長）が突起３２とボディ側バヨネット爪２６の間の間隔、及び、突起３２とボディ側バヨネット爪２７の間の間隔より大幅に長く、レンズ側バヨネット爪５６の全長がボディ側円弧状隙間３０より長く、レンズ側バヨネット爪５５の全長がボディ側円弧状隙間２９より長いので、レンズ鏡筒５０の軸線をカメラボディ２０の上記中心軸に対して傾けてもレンズ側バヨネット爪５５、５６、５７を外装ケース２１の内部空間に挿入することはできない。同様に、レンズ側バヨネット爪５５をボディ側円弧状隙間３０と同じ周方向位置に位置させ、レンズ側バヨネット爪５６をボディ側円弧状隙間２８と同じ周方向位置に位置させ、レンズ側バヨネット爪５７をボディ側円弧状隙間２９と同じ周方向位置に位置させた場合も、レンズ側バヨネット爪５５の全長（周方向長）がボディ側円弧状隙間３０より長く、レンズ側バヨネット爪５７の全長がボディ側円弧状隙間２９より長く、レンズ側バヨネット爪５６の全長が突起３２とボディ側バヨネット爪２６の間の間隔、及び、突起３２とボディ側バヨネット爪２７の間の間隔より大幅に長いので、レンズ鏡筒５０の軸線をカメラボディ２０の上記中心軸に対して傾けてもレンズ側バヨネット爪５５、５６、５７を外装ケース２１の内部空間に挿入することはできない。
さらに、レンズ鏡筒５０をカメラボディ２０に装着するときにレンズ鏡筒５０の光軸を開口孔２２の中心軸に対して傾けると、いずれかのレンズ側バヨネット爪５５、５６、５７が斜め方向からボディ側円弧状隙間３０に進入しようとする。しかしこのレンズ側バヨネット爪５５、５６、５７は円弧状突部３９の中央部に当接することになるので、レンズ側バヨネット爪５５、５６、５７のカメラボディ２０内への進入が阻止される。そのためレンズ鏡筒５０は適正な方向（すなわち光軸とほぼ平行な方向）からのみカメラボディ２０に対して装着可能である。
従って、凹部５８の周方向位置を突起３２と一致させずにレンズ鏡筒５０をカメラボディ２０に対して接続したり、レンズ鏡筒５０をカメラボディ２０に対して傾けながら装着する誤装着を確実に防止できる。
【００２５】
レンズ鏡筒５０をカメラボディ２０に対して装着すると、図７に示すように、カメラボディ２０の接点ピン４０、４０ａ、４１、４１ａがレンズ鏡筒５０の凹溝６８内に位置し、レンズ鏡筒５０の各接点６９の後端部が対応する接点ピン４０、４１を突出位置から押込位置側に押し込みながら接点ピン４０、４０ａ、４１、４１ａの前端部に接触する。そのため、外装ケース２１に設けたメインスイッチをＯＮ操作すると上記バッテリの電力が２本の接点ピン４０、４０ａから対応する接点６９に供給され、カメラボディ２０の上記制御装置が接点ピン４１、４１ａと接点６９を通じて、レンズ鏡筒５０の上記メモリに格納された焦点距離情報などの情報を読み込む。
レンズ鏡筒５０をカメラボディ２０から取り外す場合は、まず手で非操作位置に位置しているロック解除ボタン３５を操作位置まで押し込み、ロック位置に位置していたロックピン３４をアンロック位置まで移動させてロック用孔６２から脱出させる。するとレンズ鏡筒５０がカメラボディ２０に対して相対回転可能になるので、レンズ鏡筒５０を前方から見て反時計方向に約６０°回転させることにより凹部５８を突起３２の直後に位置させ、レンズ鏡筒５０全体をカメラボディ２０に対して前方に移動させる。するとレンズ側バヨネット爪５５がボディ側円弧状隙間２８を通して外装ケース２１の内部空間から前方に脱出し、レンズ側バヨネット爪５６がボディ側円弧状隙間２９を通して外装ケース２１の内部空間から前方に脱出し、レンズ側バヨネット爪５７がボディ側円弧状隙間３０を通して外装ケース２１の内部空間から前方に脱出するので、レンズ鏡筒５０がカメラボディ２０から分離する。
【００２６】
以上説明したように本実施形態のカメラ１０は、レンズ鏡筒５０とカメラボディ２０の誤装着を確実に防止できる。
しかも本発明の誤装着防止手段は、カメラボディ２０に形成した突起３２及び円弧状突部３９と、レンズ鏡筒５０に形成した凹部５８とからなる簡単な構成なので、大幅なコストアップを招くこともない。
【００２７】
さらにカメラボディ２０の接点ピン４０、４０ａ、４１、４１ａの前端部がボディ側マウント面２４より後方でかつボディ側バヨネット爪２５、２６、２７の後面（対向面）より前方に位置するので、レンズ鏡筒５０をカメラボディ２０から分離したときにユーザーの手等が接点ピン４０、４０ａ、４１、４１ａに触れるおそれを小さくすることが可能である。
さらに、レンズ側バヨネット爪５５、５６、５７にＲ面５５ａ、５６ａ、５７ａを施しているので、仮にレンズ鏡筒５０をカメラボディ２０に接続するときにＲ面５５ａ、５６ａ、５７ａを誤って接点ピン４０、４０ａ、４１、４１ａに接触させてしまっても、接点ピン４０、４０ａ、４１、４１ａが傷つくのを防止できる。
またレンズ鏡筒５０は接点６９が凹溝６８内に位置する構造なので、レンズ鏡筒５０をカメラボディ２０から分離したときにユーザーの手等が接点６９に触れるおそれを小さくすることが可能である。
さらにレンズ鏡筒５０をカメラボディ２０から分離したときにユーザーの手等が接点ピン４０、４０ａ、４１、４１ａに接触すると、接点ピン４０、４０ａ、４１、４１ａ全体が圧縮コイルバネ４２の付勢力に抗して対応する各ピン支持孔内に移動することにより、ユーザーの手等から伝わった押圧力を吸収するので、接点ピン４０、４０ａ、４１、４１ａの破損を防止できる。また、接点ピン４０、４０ａ、４１、４１ａ全体が各ピン支持孔内に位置するので、ピン４０、４０ａ、４１、４１ａ全体が円弧状突部３９によって保護される。
さらに、外装ケース２１の内部空間の中間支持板３７より後方に位置する部分には上記バッテリや制御装置等を収納するための上記後方空間が形成してあるものの、本実施形態では接点ピン４０、４０ａ、４１、４１ａの前端部がボディ側バヨネット爪２５、２６、２７の後面（対向面）より前方に位置しているので、カメラボディ２０全体の光軸方向寸法を（接点ピン４０、４０ａ、４１、４１ａの前端部をボディ側バヨネット爪２５、２６、２７の後面より後方に位置させる場合に比べて）小さくする（薄型化する）ことが可能である。
またレンズ鏡筒５０の後面には、カメラボディ２０と接続したときに円弧状突部３９及び接点ピン４０、４０ａ、４１、４１ａを受容する凹溝６８が形成してあるので、カメラボディ２０とレンズ鏡筒５０を接続したときのカメラ１０の光軸方向寸法を（レンズ鏡筒５０に接点ピン４０、４０ａ、４１、４１ａを受容する凹溝６８を形成しない場合に比べて）小さくする（薄型化する）ことが可能である。
【００２８】
またレンズ鏡筒５０をカメラボディ２０から分離したときに、撮像素子４４（の撮像面の受光領域）の一部（上部）が正面視において円弧状突部３９の直下（内周側近傍）に位置する。そのためユーザーの指等が不用意に撮像素子４４（の撮像面の受光領域）に触れたり、撮像素子４４（の撮像面の受光領域）を押圧したりするのを円弧状突部３９によって防止できる。
また、円弧状突部３９の前面は、カメラボディ２０の厚み方向（開口孔２２の中心軸と平行方向）にボディ側バヨネット爪２５、２６とほぼ同じ位置まで前方に突出しており、ボディ側バヨネット爪２５、２６と円弧状突部３９の前面がほぼ平面的な配置となっているので（ほぼ同一平面上に位置するので）、不用意に指でバヨネット爪や円弧状突部３９周辺を触った場合であっても、指先に強くバヨネット爪のエッジが当たったり両者に挟まれることが防止でき、より安全なマウント構造を実現できる。
【００２９】
さらにレンズ鏡筒５０をカメラボディ２０に組み付けると、図７に示すように円弧状突部３９と凹溝６８は、円弧状突部３９が凹溝６８（円筒部５４、内側円筒部材６６、凹溝の底面）によって囲まれる入れ子構造になる。従って、仮にカメラ１０の外側の光がボディ側マウント面２４とレンズ側マウント面５３ａの間を通ってカメラ１０内に進入しても、この光が円弧状突部３９より内周側に到達して上記レンズ群を透過した撮影光束に悪影響を及ぼすおそれは小さい。
また前方から見たときにレンズ側バヨネット爪５７の一部が接点ピン４０ａと同一の径方向延長線上に位置し、レンズ側バヨネット爪５７の当該部分を付勢バネＳ１が後方に付勢する。さらに前方から見たときにレンズ側バヨネット爪５５の一部が接点ピン４１ａと同一の径方向延長線上に位置し、レンズ側バヨネット爪５５の当該部分を付勢バネＳ２が後方に付勢する。そのため、ボディ側マウント環２３の周方向と平行な方向に配列された複数の接点ピン４０、４０ａ、４１、４１ａを対応する各接点６９に対してそれぞれ均等な圧力で確実に接触させることができる。
【００３０】
以上本実施形態を利用して本発明を説明したが、本発明は様々な変形を施しながら実施可能である。
例えば、カメラボディ２０側に設けた突起３２とレンズ鏡筒５０側に設けた凹部５８との凹凸関係をレンズ鏡筒５０側とカメラボディ２０側とに逆の関係で適用した構成としても良い。この場合は、上記実施形態で説明したカメラボディ側マウント構造とレンズ鏡筒側マウント構造とを入れ替えた構造、すなわち、ボディ側マウント環２３に設けた突起３２をレンズ側マウント環５２（固定環状部５３）に設けるとともに、レンズ側マウント環５２に設けた凹部５８をボディ側マウント環２３に設けるといった変更も可能である。
また、カメラボディ２０に形成するボディ側バヨネット爪とレンズ鏡筒５０に形成するレンズ側バヨネット爪の数は３つである必要はなく、複数（ただしボディ側バヨネット爪とレンズ側バヨネット爪は同数）であればいくつでもよい。なお、ボディ側バヨネット爪の数がいくつであっても、各ボディ側バヨネット爪の後面には付勢バネを設け、突起３２の後面には付勢バネを設けないようにする。
さらに全てのボディ側バヨネット爪どうしの長さ、全ての（ボディ側バヨネット爪の間に位置する）円弧状隙間どうしの長さ、全てのレンズ側バヨネットどうしの長さ、及び、全ての（レンズ側バヨネット爪の間に位置する）円弧状隙間どうしの長さを互いに異ならせるのではなく、一部のものの長さだけを他のもの長さと異ならせたり、あるいは全て長さにしてもよい。ただし、いずれの場合であっても、突起３２と突起３２に隣接するボディ側バヨネット爪との間隔（周方向長）は最も短いレンズ側バヨネット爪より長く設定する。
さらに凹溝６８を、レンズ側バヨネット環５２の円筒部５４と内側円筒部材６６の間に位置する環状溝としてもよい。
また（ボディ側バヨネット爪の間に位置する）円弧状隙間の中で一番長いものとは異なるもの（例えば一番短い円弧状隙間）に突起３２を設けても良い。
また本実施形態のカメラ１０はカメラボディ２０に撮像素子４４を設けたデジタルカメラであるが、銀塩カメラに本発明を適用してもよい。
【符号の説明】
【００３１】
１０    カメラ
２０    カメラボディ
２１    外装ケース
２２    開口孔
２３    ボディ側マウント環
２４    ボディ側マウント面
２５  ２６  ２７  ボディ側バヨネット爪
２８  ２９  ３０  ボディ側円弧状隙間
３２    突起
３４    ロックピン
３５    ロック解除ボタン
３７    中間支持板
３８    中央矩形孔
３９    円弧状突部
４０  ４１  接点ピン（ボディ側接点部）
４２    圧縮コイルバネ（接点付勢手段）
４４    撮像素子
５０    レンズ鏡筒
５１    鏡筒本体
５２    レンズ側マウント環
５３    固定環状部
５３ａ  レンズ側マウント面
５４    円筒部
５５  ５６  ５７  レンズ側バヨネット爪
５８    凹部
５９  ６０  ６１  レンズ側円弧状隙間
６２    ロック用孔
６３    絶縁部材
６６    内側円筒部材
６７    円形孔
６８    凹溝
６９    接点（レンズ側接点部）
Ｓ１  Ｓ２  Ｓ３  付勢バネ（後方付勢手段）
【図１】
0005810660.tif 000002
【図２】
0005810660.tif 000003
【図３】
0005810660.tif 000004
【図４】
0005810660.tif 000005
【図５】
0005810660.tif 000006
【図６】
0005810660.tif 000007
【図７】
0005810660.tif 000008